(57)【要約】  コネクタ部品（３、４）は、相手側コネクタ部品（４、３）の対応した雌雄同体の端子要素（２Ａ−２Ｄ、１Ａ−１Ｄ）と接触するための、複数の雌雄同体の端子要素（１Ａ−１Ｄ、２Ａ−２Ｄ）を備え、各々の雌雄同体の端子要素（１Ａ−１Ｄ、２Ａ−２Ｄ）は、本体（１０、２０）、本体（１０、２０）から第１の方向（Ｘ）に沿って伸びた第１の端子突起（１２）、および本体（１０、２０）から第１の方向（Ｘ）に沿って伸びた第２の端子突起（１３）を備え、第１の端子突起（１２）および第２の端子突起（１３）は、第１の方向（Ｘ）に対して横方向に伸びた第２の方向（Ｙ）に沿って、および第１の方向（Ｘ）に対して横方向に且つ第２の方向（Ｙ）に対して横方向に伸びた第３の方向（Ｚ）に沿って、互いにオフセットされている。コネクタ部品（３、４）は、各々の雌雄同体の端子要素（１Ａ−１Ｄ、２Ａ−２Ｄ）に関して、第１の鏡面（Ｅ１）に対して鏡像反転された雌雄同体の端子要素（１Ａ−１Ｄ、２Ａ−２Ｄ）、および第２の鏡面（Ｅ２）に対して鏡像反転された雌雄同体の端子要素（１Ａ−１Ｄ、２Ａ−２Ｄ）、を備えている。
2021519500.tif 000002
【特許請求の範囲】
【請求項１】
相手側コネクタ部品（４、３）の対応した雌雄同体の端子要素（２Ａ−２Ｄ、１Ａ−１Ｄ）と接触するための、複数の雌雄同体の端子要素（１Ａ−１Ｄ、２Ａ−２Ｄ）を備えたコネクタ部品（３、４）であって、
各々の雌雄同体の端子要素（１Ａ−１Ｄ、２Ａ−２Ｄ）は、本体（１０、２０）、該本体（１０、２０）から第１の方向（Ｘ）に沿って伸びた第１の端子突起（１２）、および前記本体（１０、２０）から第１の方向（Ｘ）に沿って伸びた第２の端子突起（１３）を備え、前記第１の端子突起（１２）および前記第２の端子突起（１３）は、前記第１の方向（Ｘ）に対して横方向に伸びた第２の方向（Ｙ）に沿って、ならびに前記前記第１の方向（Ｘ）および第２の方向（Ｙ）に対して横方向に伸びた第３の方向（Ｚ）に沿って、互いからオフセットされており、
前記コネクタ部品（３、４）は、各々の雌雄同体の端子要素（１Ａ−１Ｄ、２Ａ−２Ｄ）に関して、前記第１の方向（Ｘ）および前記第３の方向（Ｚ）により画定された第１の鏡面（Ｅ１）に対して鏡像反転された雌雄同体の端子要素（１Ａ−１Ｄ、２Ａ−２Ｄ）、ならびに前記第１の方向（Ｘ）および前記第２の方向（Ｙ）により画定された第２の鏡面（Ｅ２）に対して鏡像反転された雌雄同体の端子要素（１Ａ−１Ｄ、２Ａ−２Ｄ）、を備えている、コネクタ部品（３、４）。
【請求項２】
前記コネクタ部品（３、４）の雌雄同体の端子要素（１Ａ−１Ｄ、２Ａ−２Ｄ）の数は、４つまたは４の整数倍の数に一致している、請求項１に記載のコネクタ部品（３、４）。
【請求項３】
各々の雌雄同体の端子要素（１Ａ−１Ｄ、２Ａ−２Ｄ）の本体（１０、２０）は、前記第１の方向（Ｘ）および前記第２の方向（Ｙ）により画定された平面に沿って平坦に広がっている、請求項１に記載のコネクタ部品（３、４）。
【請求項４】
前記第１の端子突起（１２、２２）は、前記本体（１０、２０）の平面内に広がっている、請求項１に記載のコネクタ部品（３、４）。
【請求項５】
前記第の２の端子突起（１３、２３）は、前記平面から前記第３の方向に沿ってオフセットされている、請求項１に記載のコネクタ部品（３、４）。
【請求項６】
前記コネクタ部品（３、４）は、１つ以上の雌雄同体の端子要素（１Ａ−１Ｄ、２Ａ−２Ｄ）のグループに関して、前記第１の鏡面（Ｅ１）に対して鏡像反転された雌雄同体の端子要素（１Ａ−１Ｄ、２Ａ−２Ｄ）のグループ、および前記第２の鏡面（Ｅ２）に対して鏡像反転された雌雄同体の端子要素（１Ａ−１Ｄ、２Ａ−２Ｄ）のグループを備えている、請求項１に記載のコネクタ部品（３、４）。
【請求項７】
前記雌雄同体の端子要素（１Ａ−１Ｄ、２Ａ−２Ｄ）は、印刷回路基板（５）に一体に接続されている、請求項１に記載のコネクタ部品（３、４）。
【請求項８】
各々の雌雄同体の端子要素（１Ａ−１Ｄ、２Ａ−２Ｄ）の本体（１０、２０）は接続タブ（１１、２１）を備え、該接続タブを通じて、前記雌雄同体の端子要素（１Ａ−１Ｄ、２Ａ−２Ｄ）は印刷回路基板（５）に接続されている、請求項１に記載のコネクタ部品（３、４）。
【請求項９】
請求項１から８のいずれか一項に記載のコネクタ部品（３、４）と、該コネクタ部品（３、４）と嵌合接続するための複数の雌雄同体の端子要素（２Ａ−２Ｄ、１Ａ−１Ｄ）を備えた相手側コネクタ部品（４、３）と、を備えたコネクタシステム。
【発明の詳細な説明】
【技術分野】
【０００１】
本発明は、請求項１の前段によるコネクタ部品に関する。
【背景技術】
【０００２】
そのようなコネクタ部品は、相手側コネクタ部品の対応した雌雄同体の端子要素に接触するための、複数の雌雄同体の端子要素を備えており、各々の雌雄同体の端子要素は、本体、本体から第１の方向に沿って伸びた第１の端子突起、および本体から第１の方向に沿って伸びた第２の端子突起を備えている。この場合、第１の端子突起および第２の端子突起は、第１の方向に対して横方向に伸びた第２の方向に沿って互いに対してオフセットされており、且つ第１の方向および第２の方向に対して横方向に伸びた第３の方向に沿っても互いに対してオフセットされている。
【０００３】
雌雄同体の端子要素を備えたコネクタ部品は、一体に嵌合されて、端子要素間に電気的接触を生じさせることが可能である。この場合、コネクタ部品の雌雄同体の端子要素は同じデザインであり、これにより、他の場合と同様に、コネクタ部品はソケット端子として構成されておらず、他のコネクタ部品は、ピン端子として構成されていない。その代わりに、両方のコネクタ部品の雌雄同体の端子要素は、ソケットおよびピンの両方の特性を備えている。
【０００４】
雌雄同体の端子要素を備えたコネクタ部品は、例えば特許文献１および特許文献２から知られている。
【０００５】
コネクタ部品の既知の雌雄同体の端子要素において、端子突起は本体から互いに対して平行に突出しており、（第３の方向に関して）異なった側からの、相手側コネクタ部品の対応した雌雄同体の端子要素の端子突起に対する接触に寄与し、これによりコネクタ部品の雌雄同体の端子要素の第１の端子突起は、相手側コネクタ部品の対応した雌雄同体の端子要素の第２の端子突起と電気的接触することにより相互作用し、コネクタ部品の雌雄同体の端子要素の第２の端子突起は、相手側コネクタ部品の対応した雌雄同体の端子要素の第１の端子突起と電気的接触することにより相互作用する。
【０００６】
そのような雌雄同体の端子要素を備えたコネクタ部品が、一体に嵌合された場合、トルクが雌雄同体の端子要素に生じるかもしれず、このトルクは緩和されて、コネクタ部品および相手側コネクタ部品から逸らされなければならない。特に、このようにして、コネクタ部品の使用寿命に影響を及ぼし得る応力は、雌雄同体の端子要素と、雌雄同体の端子要素が配置された印刷回路基板と、の間に生じ得る。
【先行技術文献】
【特許文献】
【０００７】
【特許文献１】米国特許第６，１９３，５３７号明細書
【特許文献２】欧州特許第１  ９７３  ２０１号明細書
【発明の概要】
【発明が解決しようとする課題】
【０００８】
本発明の目的はコネクタ部品を提供することであり、このコネクタ部品においては、雌雄同体の端子要素へのトルク負荷が軽減されることが可能である。
【課題を解決するための手段】
【０００９】
この目的は、請求項１の特徴を有するものにより達成される。
【００１０】
したがって、コネクタ部品は、各々の雌雄同体の端子要素に関して、第１の鏡面に対して鏡像反転された雌雄同体の端子要素、および第２の鏡面に対して鏡像反転された雌雄同体の端子要素、を備えている。この場合、第１の鏡面は、第１の方向および第３の方向により画定されており、第２の鏡面は、第１の方向および第２の方向により画定されている。
【００１１】
したがって、各々の雌雄同体の端子要素に関して、鏡像反転された雌雄同体の端子要素が存在し、このことは、トルクを鏡像反転させる態様で作用させ、これによりコネクタ部品の対応した相手側コネクタ部品との嵌合接続の際に、互いにトルクが打ち消し合う。（第１の方向および第３の方向により画定された）第１の鏡面において鏡像となった雌雄同体の端子要素、ならびに（第１の方向および第２の方向により画定された）第２の鏡面において鏡像となった雌雄同体の端子要素が、各々の雌雄同体の端子要素に関して存在しているので、第１の方向および第２の方向の周りに作用するトルクは打ち消され、これにより平衡を保ったコネクタ部品には、対応した相手側コネクタ部品の嵌合接続の際の、トルクによる応力が軽減される。
【００１２】
端子突起は、第１の方向に沿って本体から伸びている。端子突起は、第２の方向に沿って、本体上で互いからオフセットされており、したがって、本体上で互いに隣接して配置されている。端子突起は、第３の方向に沿って、相手側コネクタ部品の雌雄同体の端子要素の対応した端子突起と電気的に接触する態様において相互作用する。雌雄同体の端子要素の鏡像反転を使用する結果として、コネクタ部品の雌雄同体の端子要素の、相手側コネクタ部品の対応した雌雄同体の端子要素との嵌合接続に起因したトルクは、第１の方向の周りおよび第２の方向の周りにおいて互いに打ち消し合い、これによりコネクタ部品間のトルク負荷は、嵌合接続の際に少なくとも軽減される。
【００１３】
好適に、コネクタ部品の雌雄同体の端子要素の数は、４つまたは４の整数倍の数、すなわち８、１２、１６等に一致している。雌雄同体の端子要素の配列は鏡像となっており、これにより各々の雌雄同体の端子要素に関して、雌雄同体の端子要素は、第１の鏡面に対して鏡像反転されており、および雌雄同体の端子要素は、第２の鏡面に対して鏡像反転されている。したがって、雌雄同体の端子要素の配列は平衡を保っており、これによりトルク負荷は、その結果として打ち消される。
【００１４】
一実施形態においては、本体は、第１の方向および第２の方向により画定された平面に沿って平坦に広がっている。雌雄同体の端子要素は、例えば金属シートからの例えば切断部品および曲げ部品として製造されることが可能である。したがって、本体は、第１の方向および第２の方向により画定された平面内に広がっている。
【００１５】
この場合、第１の端子突起は本体の平面内において伸びることが可能であり、したがって本体から第１の方向に突出している。第１の端子突起は、例えば端子ピンの形状を有し得る。
【００１６】
それとは逆に、第２の端子突起は、第３の方向に沿って平面からオフセットされることが可能であり、したがって平面の外側に突出している。第２の端子突起は、例えば接続セクションを通じて本体に接続されてもよく、この領域において曲げが形成され、これにより第２端子突起は平面からオフセットされ、平面の外側に配置される。
【００１７】
コネクタ部品の各々の雌雄同体の端子要素に関して、第１の鏡面に対して鏡像反転された雌雄同体の端子要素、および第２の鏡面に対して鏡像反転された雌雄同体の端子要素が存在している。この場合、雌雄同体の端子要素のグループは、互いに対して鏡像となっており、これにより１つ以上の雌雄同体の端子要素のグループに関して、第１の鏡面に対して鏡像反転された雌雄同体の端子要素のグループ、および第２の鏡面に対して鏡像反転された雌雄同体の端子要素グループ、が存在するようにも設けられ得る。例えば、第１の鏡面に対して鏡像反転された３つの雌雄同体の端子要素のグループおよび第２の鏡面に対して鏡像反転された３つの雌雄同体の端子要素のグループは、３つの雌雄同体の端子要素のグループに対してこのようにして存在することが可能である。したがって、雌雄同体の端子要素の鏡像反転されたグループが、雌雄同体の端子要素の各グループに関して存在する点において、トルクはグループ内において打ち消される。
【００１８】
一実施形態においては、雌雄同体の端子要素は、印刷回路基板に結合するように接続されている。印刷回路基板は、例えば第２の方向および第３の方向により画定された平面内に広がっており、接続位置を備え、この位置において雌雄同体の端子要素は例えばはんだ付けされ、これにより雌雄同体の端子要素は印刷回路基板に機械的に固定され、且つ印刷回路基板に電気的にも接触させられる。この目的のために、各々の雌雄同体の端子要素は、例えば接続タブを備え、このタブは本体から突出して、印刷回路基板にはんだ付けされることを可能にしている。
【００１９】
コネクタシステムは、前述のタイプのコネクタ部品、およびこのコネクタ部品の雌雄同体の端子要素の数に一致した複数の雌雄同体の端子要素を備えた相手側コネクタ部品を備え、コネクタ部品は、相手側コネクタ部品と嵌合様式で接続されることが可能である。コネクタ部品および相手側コネクタ部品の雌雄同体の端子要素は、同一であるように設計され、雌雄同体の端子要素が、嵌合様式によるコネクタ部品の相手側コネクタ部品への接続により、互いに電気的接触をもたらすことが可能であるように、互いに対して配置されている。
【００２０】
本発明の背後にある思想は、図に示された例示的な実施形態に基づいて以下により詳細に説明される。
【図面の簡単な説明】
【００２１】
【図１】接続された状態にある、雌雄同体の端子要素の配列を示した図である。
【図２】雌雄同体の端子要素の別の配列を示した図である。
【図３】対応した雌雄同体の端子要素と組み合わせた、雌雄同体の端子要素を示した図である。
【図４Ａ】雌雄同体の端子要素の配列を備えたコネクタ部品を示した図である。
【図４Ｂ】対応した相手側コネクタを示した図である。
【図５Ａ】コネクタ部品を示した正面図である。
【図５Ｂ】相手側コネクタ部品を示した正面図である。
【図６Ａ】コネクタ部品を示した背面図である。
【図６Ｂ】相手側コネクタ部品を示した背面図である。
【図７Ａ】さらなる例示的な実施形態による、雌雄同体の端子要素の配列を備えたコネクタ部品を示した図である。
【図７Ｂ】対応した相手側コネクタを示した図である。
【図８Ａ】コネクタ部品を示した正面図である。
【図８Ｂ】相手側コネクタ部品を示した正面図である。
【図９Ａ】コネクタ部品を示した背面図である。
【図９Ｂ】相手側コネクタ部品を示した背面図である。
【図１０Ａ】さらなる例示的な実施形態による、雌雄同体の端子要素の配列を備えたコネクタ部品を示した図である。
【図１０Ｂ】対応した相手側コネクタを示した図である。
【図１１Ａ】コネクタ部品を示した正面図である。
【図１１Ｂ】相手側コネクタ部品を示した正面図である。
【図１２Ａ】コネクタ部品を示した背面図である。
【図１２Ｂ】相手側コネクタ部品を示した背面図である。
【図１３Ａ】さらなる例示的な実施形態による、雌雄同体の端子要素の配列を備えたコネクタ部品を示した図である。
【図１３Ｂ】対応した相手側コネクタを示した図である。
【図１４Ａ】コネクタ部品を示した正面図である。
【図１４Ｂ】相手側コネクタ部品を示した正面図である。
【図１５Ａ】コネクタ部品を示した背面図である。
【図１５Ｂ】相手側コネクタ部品を示した背面図である。
【発明を実施するための形態】
【００２２】
図１および図２は、雌雄同体の端子要素１Ａ−１Ｄ、２Ａ−２Ｄの配列を示しており、これらの要素は異なったコネクタ部品の一部であり、第１の方向Ｘに沿った挿入方向に沿って嵌合されることにより、互いに接続されることが可能であり、それは、このようにして雌雄同体の端子要素１Ａ−１Ｄ、２Ａ−２Ｄ間の電気的接触を形成するためである。
【００２３】
図３による視点から見ることができるように、各々の雌雄同体の端子要素１Ａ−１Ｄ、２Ａ−２Ｄは、本体１０、２０を備え、この本体は、第１の方向Ｘおよび第２の方向Ｙにより画定された平面内において伸びており、本体からは、端子突起１２、１３、２２、２３が第１の方向Ｘに沿って突出している。第１の端子突起１２、２２は、この場合本体１０、２０の平面内で第１の方向Ｘに沿って伸びており、一方で第１の端子突起１２、２２に対して第２の方向Ｙに沿ってオフセットされた第２の端子ラグ１３、２３は、本体１０、２０の平面に対してオフセットされており、したがって平面の外側に配置されている。
【００２４】
対応した雌雄同体の端子要素１Ａ−１Ｄ、２Ａ−２Ｄが、図３に示されたように嵌合様式において一体に接続された場合、端子突起１２、１３、２２、２３は第３の方向Ｚに沿って接触し、一方の雌雄同体の端子要素１Ａ−１Ｄの端子突起１２、１３は、異なった方向から、他方の雌雄同体の端子要素２Ａ−２Ｄの端子突起２２、２３に対して接触する。
【００２５】
コネクタ部品へのトルク負荷を軽減させるために、コネクタ部品の構成部品は、図１および図２による雌雄同体の端子要素１Ａ−１Ｄ、２Ａ−２Ｄであり、図１および図２による配列の端子要素１Ａ−１Ｄ、２Ａ−２Ｄは、鏡面Ｅ１，Ｅ２に対して互いに鏡像反転するように配置されており、結果として、雌雄同体の端子要素１Ａ−１Ｄ、２Ａ−２Ｄの間の嵌合接続により作用する、第１の方向Ｘおよび第２の方向Ｙの周りのトルクＭ１、Ｍ２は打ち消され、その結果、雌雄同体の端子要素１Ａ−１Ｄ、２Ａ−２Ｄの平衡が保たれた配列が、各コネクタ部品に提供される。
【００２６】
雌雄同体の端子要素１Ａ−１Ｄは第１のコネクタ部品に配置され、さらに、雌雄同体の端子要素１Ａ−１Ｄの本体１０から突出した接続タブ１１（図３参照）を通じて、印刷回路基板上に一体に配置されている。同様に、第２コネクタ部品に配置された雌雄同体の端子要素２Ａ−２Ｄは、雌雄同体の端子要素２Ａ−２Ｄの本体２０から突出した接続タブ２１（図３参照）を通じて、図１に概略的に図示された印刷回路基板５上に配置されている。接続タブ１１、２１を通じて、雌雄同体の端子要素１Ａ−１Ｄ、２Ａ−２Ｄは、対応した印刷回路基板５の特に端子面５０にはんだ付けされることが可能であり、これにより雌雄同体の端子要素１Ａ−１Ｄ、２Ａ−２Ｄは、対応した印刷回路基板５に機械的に固定され、且つ印刷回路基板５により電気的に接触される。
【００２７】
図１による雌雄同体の端子要素１Ａ−１Ｄ、２Ａ−２Ｄの配列において、各々の雌雄同体の端子要素１Ａ−１Ｄは、第１の鏡面Ｅ１に対して鏡像反転された雌雄同体の端子要素１Ａ−１Ｄ、および第２の鏡面Ｅ２に対して鏡像反転された雌雄同体の端子要素１Ａ−１Ｄを備えている。したがって、雌雄同体の端子要素１Ａ、１Ｃは、雌雄同体の端子要素１Ｂ、１Ｄへと鏡面Ｅ１に対して鏡像反転されており、本端１０上の端子突起１２、１３の配列は、第２の方向Ｙに沿って見た場合に、反転されている。それに加えて、雌雄同体の端子要素１Ａ、１Ｂおよび雌雄同体の端子要素１Ｃ、１Ｄは、鏡面Ｅ２に対して鏡像反転されており、端子突起１３は、個々の本体１０から異なった側に突出している。
【００２８】
図１による配列において、異なった雌雄同体の端子要素１Ａ−１Ｄの端子突起１３が、それぞれ外側を向いている一方で、図２による配列における雌雄同体の端子要素１Ａ−１Ｄの端子突起１３は、内側を向いており、したがって互いに向き合っている。
【００２９】
図４Ａ、図４Ｂから図６Ａ、図６Ｂは、一体に嵌合されて接続を形成することが可能なコネクタ部品３、４を備えたコネクタシステムの例示的な実施形態を示している。各コネクタ部品３、４はハウジング３０、４０を備え、それらの手段には雌雄同体の端子要素１Ａ−１Ｄ、２Ａ−２Ｄが配置されており、これにより一体に嵌合されることによって、コネクタ部品３、４は互いに電気的に接続されることが可能である。
【００３０】
コネクタ部品３は、プラグ開口部３２により囲まれたプラグセクション３１を備えている。端子開口部３１０は、その内部に、端子突起１３を備えた対応した雌雄同体の端子要素１Ａ−１Ｄが載置されており、その開口部はプラグセクション３１に形成されている。その逆に、端子突起１２はプラグ開口部３２の領域内に配置されている。
【００３１】
コネクタ部品４は、コネクタ部品３に相補的であるように形成されている。したがって、コネクタ部品４はプラグ開口部４１を備え、この開口部内に、コネクタ部品３のプラグセクション３１が挿入されることが可能である。プラグ開口部４１は、コネクタ部品３、４が互いに接続された場合に、コネクタ部品３のプラグ開口部３２内に収まるプラグセクション４２により囲まれている。端子開口部４２０はプラグセクション４２に形成されており、その開口部内に、端子突起２３を備えたコネクタ部品４の雌雄同体の端子要素２Ａ−２Ｄが載置されており、一方で端子突起２２は、プラグ開口部４１の領域内に配置されている。
【００３２】
図示された例示的な実施形態においては、３つの雌雄同体の端子要素１Ａ−１Ｄの４つのグループの各々は、コネクタ部品３に配置されており、それらは鏡面Ｅ１、Ｅ２に対して互いに鏡像反転されている。雌雄同体の端子要素１Ａ、１Ｃは、鏡面Ｅ１に関して雌雄同体の端子要素１Ｂ、１Ｄに対して鏡像反転されている。それに加えて、雌雄同体の端子要素１Ａ、１Ｂは、鏡面Ｅ２に関して雌雄同体の端子要素１Ｃ、１Ｄに対して鏡像反転されている。その結果として、雌雄同体の端子要素１Ａ−１Ｄは、コネクタ部品３の側において平衡を保って配列されており、同様に雌雄同体の端子要素２Ａ−２Ｄは、コネクタ部品４の側において平衡を保って配列されており、これによりコネクタ部品３、４が嵌合される場合に、トルク負荷は大きく軽減される。
【００３３】
図７Ａ、図７Ｂから図９Ａ、図９Ｂによる例示的な実施形態においては、３つの雌雄同体の端子要素１Ａ−１Ｄ、２Ａ−２Ｄの４つのグループの各々は、各コネクタ部品３、４にも形成されており、これらの端子要素は鏡面Ｅ１、Ｅ２に対して互いに鏡像反転されている。鏡面Ｅ２から見て、コネクタ部品３の雌雄同体の端子要素１Ａ−１Ｄの配列、および同様にコネクタ部品４の雌雄同体の端子要素２Ａ−２Ｄの配列は、この場合、図４Ａ、図４Ｂから図６Ａ、図６Ｂによる例示的な実施形態に対して反転している。
【００３４】
図１０Ａ、図１０Ｂから図１２Ａ、図１２Ｂによる例示的な実施形態においては、４つの雌雄同体の端子要素１Ａ−１Ｄ、２Ａ−２Ｄの３つのグループは、各コネクタ部品３、４に形成されており、これらの端子要素は互いに対して鏡面対称に配列されて、これにより互いに対して平衡を保っている。したがって、コネクタ部品３の場合、鏡面Ｅ２に対して鏡像反転された一対の雌雄同体の端子要素１Ｃ、１Ｄは、第３の方向Ｚに沿って２つの雌雄同体の端子要素１Ａ、１Ｂに対して隣接して配置されている。雌雄同体の端子要素１Ｂ、１Ｄは、鏡面Ｅ１に関して雌雄同体の端子要素１Ａ、１Ｃに対して鏡像反転されている。このことは再度、雌雄同体の端子要素１Ａ−１Ｄの平衡を保った配列に帰結し、各コネクタ部品３、４のトルク負荷が軽減される。
【００３５】
図１３Ａ、図１３Ｂから図１５Ａ、図１５Ｂによる例示的な実施形態においては、第３の方向Ｚに沿って見た場合に、雌雄同体の端子要素１Ａ−１Ｄ、２Ａ−２Ｄの順序は、図１０Ａ、図１０Ｂから図１２Ａ、図１２Ｂの例示的な実施形態における順序に対して逆になっている。
【００３６】
コネクタ部品３、４の場合、各々の雌雄同体の端子要素１Ａ−１Ｄ、２Ａ−２Ｄに関して、鏡面Ｅ１に対して鏡像反転された雌雄同体の端子要素１Ａ−１Ｄ、２Ａ−２Ｄおよび鏡面Ｅ２に対して鏡像反転された雌雄同体の端子要素１Ａ−１Ｄ、２Ａ−２Ｄが存在しており、第１の方向Ｘの周りのトルクおよび第２の方向Ｙの周りのトルクは、雌雄同体の端子要素１Ａ−１Ｄ、２Ａ−２Ｄの配列において互いに打ち消し合う。結果として、嵌合された状態においてコネクタ部品３、４のハウジング３０、４０に加えられる、緩和されなければならいおよび逸らされなければならないトルクは存在しない。
【００３７】
本発明にある発想は、これまでに記載された例示的な実施形態に限定されるのではなく、完全に異なった態様において原理的に実現されることが可能である。
【００３８】
したがって、ここに記載されたもの以外の他の雌雄同体の端子要素も、考えられ且つ実施可能である。
【００３９】
雌雄同体の端子要素のそのような配列は、工業プラントまたはそれに類似したものにおいて、例えばデータリンクまたは電力供給のような全く異なった接続を形成するために、全体的に異なった部品に使用され得る。
【符号の説明】
【００４０】
１Ａ−１Ｄ  ・・・雌雄同体の端子要素
１０  ・・・本体
１１  ・・・接続タブ
１２  ・・・端子突起
１３  ・・・端子突起
１３０  ・・・端子端部
１３１  ・・・接続セクション
２Ａ−２Ｄ  ・・・雌雄同体の端子要素
２０  ・・・本体
２１  ・・・接続タブ
２２  ・・・端子突起
２３  ・・・端子突起
２３０  ・・・端子端部
２３１  ・・・接続セクション
３  ・・・接続部品
３０  ・・・ハウジング
３１  ・・・プラグセクション
３１０  ・・・端子開口部
３２  ・・・プラグ開口部
４  ・・・コネクタ部品
４０  ・・・ハウジング
４１  ・・・プラグ開口部
４２  ・・・プラグセクション
４２０  ・・・端子開口部
５  ・・・印刷回路基板
５０  ・・・端子面
Ｅ１、Ｅ２  ・・・鏡面
Ｍ１，Ｍ２  ・・・トルク
Ｘ、Ｙ、Ｚ  ・・・方向
【図１】
2021519500.tif 000003
【図２】
2021519500.tif 000004
【図３】
2021519500.tif 000005
【図４Ａ】
2021519500.tif 000006
【図４Ｂ】
2021519500.tif 000007
【図５Ａ】
2021519500.tif 000008
【図５Ｂ】
2021519500.tif 000009
【図６Ａ】
2021519500.tif 000010
【図６Ｂ】
2021519500.tif 000011
【図７Ａ】
2021519500.tif 000012
【図７Ｂ】
2021519500.tif 000013
【図８Ａ】
2021519500.tif 000014
【図８Ｂ】
2021519500.tif 000015
【図９Ａ】
2021519500.tif 000016
【図９Ｂ】
2021519500.tif 000017
【図１０Ａ】
2021519500.tif 000018
【図１０Ｂ】
2021519500.tif 000019
【図１１Ａ】
2021519500.tif 000020
【図１１Ｂ】
2021519500.tif 000021
【図１２Ａ】
2021519500.tif 000022
【図１２Ｂ】
2021519500.tif 000023
【図１３Ａ】
2021519500.tif 000024
【図１３Ｂ】
2021519500.tif 000025
【図１４Ａ】
2021519500.tif 000026
【図１４Ｂ】
2021519500.tif 000027
【図１５Ａ】
2021519500.tif 000028
【図１５Ｂ】
2021519500.tif 000029
【国際調査報告】
2021519500.tif 000030
2021519500.tif 000031
2021519500.tif 000032
2021519500.tif 000033